(57)【要約】      （修正有）【課題】特別な工具を必要とすることがなく、作業の手間も掛からずに簡単にケーブル同士を接続することができるケーブルの中継ボックスを提供すること。【解決手段】ケーブルを中継する中継コネクタＡをボックス本体Ｂ内に収容するとともに、以下の要件を備えることを特徴とするケーブルの中継ボックス。（イ）ボックス本体Ｂは前面が開口し、開口部は着脱可能な蓋部材２６で塞がれること。（ロ）ボックス本体Ｂの内部にはケーブルＣを中継する中継コネクタＡが着脱可能に収容されていること。（ハ）中継コネクタＡはオス型コネクタ１とメス型コネクタ２とから構成され、オス型コネクタ１とメス型コネクタ２とは分離・結合が可能であること。（ニ）ボックス本体Ｂにはオス型コネクタ１とメス型コネクタ２とが結合された状態で固定する固定手段Ｄが設けてあること。【選択図】図１
0003101315.tif 000002
【実用新案登録請求の範囲】
【請求項１】
ケーブルを中継する中継コネクタをボックス本体内に収容するとともに、以下の要件を備えることを特徴とするケーブルの中継ボックス。
（イ）上記ボックス本体は前面が開口し、該開口部は着脱可能な蓋部材で密閉されること
（ロ）上記ボックス本体の内部にはケーブルを中継する中継コネクタが着脱可能に収容されていること
（ハ）上記中継コネクタはオス型コネクタとメス型コネクタとから構成され、オス型コネクタとメス型コネクタとは分離・結合が可能であること
（ニ）上記オス型コネクタとメス型コネクタとは差し込み口から電線を差し込むことにより板バネによって端子金具に圧接され、端子金具と電線とは電気的に接続されること
（ホ）上記ボックス本体には上記オス型コネクタとメス型コネクタとが結合された状態で固定する固定手段が設けてあること
【請求項２】
以下の要件を備えることを特徴とする、請求項１記載のケーブルの中継ボックス。
（イ）前記メス型コネクタの両側面には前記固定手段に係合する係合板が突出形成されていること
（ロ）前記固定手段は上記係合板に係合し、中継コネクタをボックス本体の内部にスライド挿入させるためのガイド溝と、該ガイド溝に案内されてボックス本体内に収容された中継コネクタの係合板に係合し、該中継コネクタをボックス本体に係止するフック部材で構成されていること
【請求項３】
前記蓋部材の裏面と、前記ボックス本体の後部内壁面とには前記中継コネクタを収容したときに前後から係合し、該中継コネクタをボックス本体内で安定して保持する係合保持部が突出形成されている、請求項１又は２記載のケーブルの中継ボックス。
【請求項４】
前記フック部材は、前記ボックス本体とは別部材で構成され、該ボックス本体内にネジ止めされるとともに、係止を解除する解除操作部を備えている、請求項１、２又は３記載のケーブルの中継ボックス。
【請求項５】
前記中継コネクタがオス型コネクタとメス型コネクタとを連結する中継コネクタに代えて一体構造の中継コネクタである、請求項１、２、３又は４記載のケーブルの中継ボックス。
【考案の詳細な説明】
【技術分野】
【０００１】
本考案は、ケーブルの中継ボックス、詳しくはボックス本体内に中継コネクタが着脱可能に収容されているケーブルの中継ボックスに関するものである。
【背景技術】
【０００２】
従来、ケーブルとケーブルとを中継するケーブルの中継ボックスが提案されている。（例えば、特許文献１）。
【０００３】
このケーブルの中継ボックスは、中継本体内に中継端子体を配置し、中継本体の両側に形成されたケーブルの入口からケーブルを本体内に挿入しそのケーブルのリード線の端部に接続具を圧着し、この接続具を中継端子体の左端子部と右端子部とにそれぞれネジ止めすることにより２本のケーブルのリード線をそれぞれ電気的に接続するようにしたものである。
【特許文献１】実用新案登録第３０２４３１４号公報
【考案の開示】
【考案が解決しようとする課題】
【０００４】
本考案が解決しようとする問題点は、ケーブルの先端をケーブルの入口から本体内に挿入し、そのリード線の先端に接続具（圧着端子）を圧着する作業があり、そのためには圧着工具を必要とし、この圧着端子を中継端子体にネジ止めするためには一旦ネジを緩めて圧着端子を差し込み、再度ドライバーでネジを締め込まなければならず、この中継ボックスを使用してケーブル同士を接続するためには圧着端子と圧着工具を必要とするとともに、取り付ける手間もかかる点であった。
【０００５】
本考案は、上記問題点を解決し、特別な工具を必要とすることがなく、作業の手間も掛からずに簡単にケーブル同士を接続することができるケーブルの中継ボックスを提供することをその課題とする。
【課題を解決するための手段】
【０００６】
前記課題を解決するために本考案に係るケーブルの中継ボックスは、ケーブルを中継する中継コネクタをボックス本体内に収容するとともに、以下の要件を備えることを特徴とする。
（イ）上記ボックス本体は前面が開口し、該開口部は着脱可能な蓋部材で密閉されること
（ロ）上記ボックス本体の内部にはケーブルを中継する中継コネクタが着脱可能に収容されていること
（ハ）上記中継コネクタはオス型コネクタとメス型コネクタとから構成され、オス型コネクタとメス型コネクタとは分離・結合が可能であること
（ニ）上記オス型コネクタとメス型コネクタとは差し込み口から電線を差し込むことにより板バネによって端子金具に圧接され、端子金具と電線とは電気的に接続されること
（ホ）上記ボックス本体には上記オス型コネクタとメス型コネクタとが結合された状態で固定する固定手段が設けてあること
【０００７】
なお、前記ケーブルの中継ボックスは、以下の要件を備えるようにしてもよい。
（イ）前記メス型コネクタの両側面には前記固定手段に係合する係合板が突出形成されていること
（ロ））前記固定手段は上記係合板に係合し、中継コネクタをボックス本体の内部にスライド挿入させるためのガイド溝と、該ガイド溝に案内されてボックス本体内に収容された中継コネクタの係合板に係合し、該中継コネクタをボックス本体に係止するフック部材で構成されていること
【０００８】
また、前記蓋部材の裏面と、前記ボックス本体の後部内壁面とには前記中継コネクタを収容したときに前後から係合し、該中継コネクタをボックス本体内で安定して保持する係合保持部を突出形成することが好ましい。
【０００９】
さらに、前記フック部材は、前記ボックス本体とは別部材で構成され、該ボックス本体内にネジ止めされるとともに、係止を解除する解除操作部を備えていればよい。
【００１０】
さらに、前記中継コネクタがオス型コネクタとメス型コネクタとを連結する中継コネクタに代えて一体構造の中継コネクタであっても構わない。
【考案の効果】
【００１１】
請求項１の考案によれば、中継コネクタにケーブルの電線を接続し、電線が接続された中継コネクタを中継ボックス内に収容することにより、固定手段で固定されるので、特別な工具や部品を必要とせず、簡単にケーブル同士を接続することができるケーブルの中継ボックスを実現することができる。
【００１２】
請求項２の考案によれば、中継コネクタに係合板を設け、この係合板をガイド溝にガイドさせ中継コネクタを中継ボックス内に押し込めばフック部材でフックされるので、簡単に中継コネクタをボックス内に固定することができる。
【００１３】
請求項３の考案によれば、前記蓋部材の裏面と、前記ボックス本体の後部内壁面とには係合保持部を突出形成したので前記中継コネクタを収容したときに係合保持部が前後から当接し、中継コネクタをボックス本体内でぶれることなく安定して保持することができる。
【００１４】
請求項４の考案によれば、フック部材とボックス本体とを別々に成形することができ、フック部材に解除操作部を設けたので、ボックス内に固定した中継コネクタを容易に取り外すことができる。
【００１５】
請求項５の考案によれば、中継コネクタを一体型にすることにより、オス型コネクタとメス型コネクタとを接続したり、分離したりする必要がなくなる。
【考案を実施するための最良の形態】
【００１６】
ケーブルを中継する中継コネクタを収納する中継ボックスは、ボックス本体の前面を開口し、該開口部は着脱可能な蓋部材で密閉し、内部には上記中継コネクタを着脱可能に収容するとともに、上記中継コネクタは分離・結合が可能なオス型コネクタとメス型コネクタとから構成し、上記ボックス本体内部には上記オス型コネクタとメス型コネクタとが結合された状態で固定する固定手段を設けた。
【実施例１】
【００１７】
図１は本考案に係るケーブルの中継ボックスの一例を示し、このケーブルの中継ボックス（以下、中継ボックスという）は、一次側のケーブルが接続されるオス型コネクタ１と、二次側のケーブルが接続されるメス型コネクタ２とからなる中継コネクタＡと、この中継コネクタＡを内装するボックス本体Ｂとから構成されるもので、本実施例では最大４本の電線を有するケーブル同士を中継することができるようにしたものである。
【００１８】
中継コネクタＡは、本出願人が特開平１０−１２２９４号公報で開示した中継コネクタと同等の構成を備えるもので、内部構造の詳細な説明は省略するが、このコネクタは、図２（ａ）に示すように、差し込み孔１０から被覆を剥がした電線１１の先端を差し込むと板バネ１２によって端子金具１３に圧接した状態で保持され、電線１１と端子金具１３とが電気的に接続されるようになっているもので、コネクタ１、２に電線１１を接続する際には何ら工具を必要としないものであり、リリースボタン１４を押し込めば板バネ１２による圧接状態が解除され電線１１を取り外すことができるように構成され、特別な部品や工具を用いることなく簡単に電線の着脱ができるようにしたもので、オス型コネクタ１とメス型コネクタ２を結合させると、図２（ｂ）に示すように、端子金具１３と一体のバネコネクタ１５が端子金具１３と一体のピンコネクタ１６を圧接挟持した状態になるので、オス型コネクタ１の端子金具１３とメス型コネクタ２の端子金具１３、１３同士が電気的に接続され、ケーブルＣの電線同士が導通状態になるように構成されているものである。
【００１９】
なお、オス型コネクタ１とメス型コネクタ２の結合時には、オス型コネクタ１の両側に形成された係合アーム１７がメス型コネクタ２の両側に形成された係合突部１８に係合し、オス型コネクタ１とメス型コネクタ２との結合状態を維持することができるようになっている。
【００２０】
そして、メス型コネクタ２の両側面には後述するケース体２５のガイド溝３０に係合する係合板１９が突出形成されている。
【００２１】
なお、係合板１９の中央に形成された貫通孔２０は、中継コネクタＡを中継ボックスに使用しない場合はパネル等に固定できるように、固定用のボルトを差し込むためのものである。
【００２２】
ボックス本体Ｂは前面が開口した長方形のケース体２５と、このケース体２５の開口部を塞ぐ蓋部材２６とで構成され、ケース体２５の上下面にはケーブルＣを挿通させる挿通筒２７が連設され、この挿通筒２７にキャップ２８を締めこむことによりケーブルＣを挿通筒２７に固定できるようになっている。
【００２３】
そして、ボックス本体Ｂには収容した中継コネクタＡを内部に固定する固定手段Ｄが設けてある。この固定手段Ｄは、ケース体２５の両側部内壁面に前後方向に形成された２本のガイドレール２９で形成されるガイド溝３０と、このガイド溝３０に沿って押し込まれた中継コネクタＡを係止するフック部材４０とで構成されている。
【００２４】
なお、ケース体２５の後部内壁面３１にはケース体２５内に中継コネクタＡを収容した際に中継コネクタＡの背面に当接する係合保持部３２が形成され、係合保持部３２の下方にはフック部材４０を取り付ける支柱３３、３３が突出形成されている。この支柱３３には先端にネジ孔３４が形成され、フック部材４０をネジ止めできるようになっている。
【００２５】
フック部材４０は側面視略Ｔ字状で横部材４０ａの上面にはバネ部４１が上下に撓むように湾曲して形成され、バネ部４１の先端にはフック４２が形成されている。そして、縦部材４０ｂの背面側には上記支柱３３に嵌合する嵌合凹部４３が形成されるとともに、嵌合凹部４３の中央には前後に貫通孔４４が形成され、嵌合凹部４３を支柱３３の先端に嵌め合わせた状態でネジ４５を貫通孔４４を貫通させて支柱３３の先端に形成されたネジ孔３４に捩じ込むことにより、フック部材４０を支柱３３に固定できるようになっている（図３（ａ）（ｂ）参照）。
【００２６】
このフック部材４０は、中継コネクタＡの係合板１９をガイド溝３０に案内させて押し込んだときに、係合板１９がフック４２に係合してバネ部４１を押し下げながらスライドし係合板１９がフック４２を乗り越えるとバネ部４１が復帰してフック４２が中継コネクタＡの係合板１９に係合し、中継コネクタＡはガイド溝３０にガイドされた状態でボックス本体Ｂ内に固定される（図４（ａ）参照）。この時、中継コネクタＡの背面はボックス本体Ｂの後部内壁面３１に形成された係合保持部３２に当接した状態になっている。
【００２７】
なお、フック４２の先端４２ａは中継コネクタＡの前面より前方に突出するとともに上面は斜め前下がりに形成され、中継コネクタＡの係止状態を容易に解除できるように解除操作部を形成している。
【００２８】
一方、蓋部材２６の背面側には、この蓋部材２６をケース体２５にネジ止めしたときに、ケース体２５内に収容されている中継コネクタＡの前面にほぼ当接するように係合保持部４６が突出形成され、蓋部材２６をボックス本体Ｂにネジ止めしたときにはボックス本体Ｂの係合保持部３２と、蓋部材２６の係合保持部４６とで中継コネクタＡを前後から保持するような状態になり、中継コネクタＡを安定した状態でボックス本体Ｂ内に収容することができるようになっている（図４（ｂ）参照）。
【００２９】
次に、上述の中継ボックスの使用態様について説明する。先ず、上下の挿通筒２７からそれぞれケーブルＣを差し込み、被覆を剥がした電線の先端をオス型コネクタ１、メス型コネクタ２の差し込み孔１０からそれ差し込み、ケーブルＣをコネクタ１、２に接続する。
【００３０】
ケーブルＣが接続されたオス型コネクタ１とメス型コネクタ２を結合させ、結合させた状態でメス型コネクタ２に形成された係合板１９をケース体２５に形成されたガイド溝３０にガイドさせてケース体２５内に押し込む。この時、係合板１９がフック部材４０のフック４２を押し下げながら中継コネクタＡが押し込まれ、中継コネクタＡの背面がケース体２５の後部内壁面３１に形成された係合保持部３２に当接するまで押し込むと、係合板１９がフック４２を乗り越えるとバネ部４１が弾性復元し、フック４２が係合板１９を前側からフックし、中継コネクタＡをケース体２５内に固定した状態にすることができる（図４（ａ）、図５参照）。
【００３１】
次に、蓋部材２６をケース体２５の前面の開口部を塞ぐようにあてがいながらネジ止めする。蓋部材２６の背面側には係合保持部４６が突出形成されているので、蓋部材２６をボックス本体Ｂにネジ止めした状態では係合保持部４６の先端が中継コネクタＡの前面にほぼ当接するような状態になり、蓋部材２６に形成された係合保持部４６と、ケース体２５の壁面３１に形成された係合保持部３２とで中継コネクタＡを前後から挟むような状態になり、中継コネクタＡがボックス本体Ｂ内でぶれることがなく、安定した状態で保持することができる。
【００３２】
ケーブル同士の接続を解除する場合は、蓋部材２６を外し、キャップ２８を緩めてケーブルＣをフリーな状態にし、中継コネクタＡの係合板１９を止めているフック４２をバネ部４１を撓ませながら押し下げ、フック４２による係合状態を解除させて、中継コネクタＡを前方に引き出す。引き出した中継コネクタＡは、オス型コネクタの係合アーム１７を外側に回動し、係合アーム１７による係合突部１８の係合を解除し、オス型コネクタとメス型コネクタとを分離する。
【００３３】
分離したオス型コネクタ１とメス型コネクタ２とは、それぞれリリースボタン１４を押し操作して、板バネによる電線１１の端子金具１３への圧接状態が解除され電線１１を取り外すことができ、中継コネクタＡとケーブルＣとの接続を解除することができる。
【００３４】
上述したように、ケーブル（電線）の中継コネクタへの接続も、中継コネクタの中継ボックスへの取り付けも、中継ボックスから中継コネクタの取り外しも、中継コネクタからケーブルの取り外しも全て工具を用いることなく簡単に行なうことができ、ケーブル同士の接続に係る特別な工具や部品を必要としない上、作業の簡素化を図ることができ、作業効率とコストとの面で有効なケーブルの中継ボックスを提供することができる。
【００３５】
また、上述の中継コネクタは、オス型コネクタとメス型コネクタとに分離可能に形成されているが、図６に示すように、電線を差し込む差し込み孔１０が上下面に形成された一体構造の中継コネクタＡ’であっても構わない。この中継コネクタＡ’は上側の差し込み孔１０から差し込んだ電線の解除は、上側のリリースボタン１４ａを使用し、下側の差し込み孔１０から差し込んだ電線の解除は、下側のリリースボタン１４ｂを使用するようになっているものである。
【００３６】
上記中継コネクタＡ’を使用する場合は、上下面に形成された差し込み孔１０、１０に被覆を剥いた電線１１の先端を上下からそれぞれ差し込んだ後、両側に突出形成された係合板１９をケース体２５に形成されたガイド溝３０にガイドさせて中継コネクタＡ’の背面がケース体２５の後部内壁面３１に形成された係合保持部３２に当接するまで押し込むと、係合板１９がフック４２にフックされ、中継コネクタＡ’をケース体２５内に固定した状態にすることができ（図７参照）、蓋部材２６をケース体２５の前面の開口部を塞ぐようにあてがいながらネジ止めすればよい。
【００３７】
なお、上述の中継ボックスは、４本の電線を有するケーブルを中継する場合について説明したが、複数の電線を有するケーブルを接続する場合は、差し込み孔を増減した中継コネクタを用意し、この中継コネクタを収容できるサイズの中継ボックスを用意すればよい。また、ケーブルを挿通させる挿通筒を中継ボックスの上下面にそれぞれ複数個設けても構わない。
【図面の簡単な説明】
【００３８】
【図１】本考案の中継ボックスの構成を説明する分解斜視図
【図２】（ａ）（ｂ）は中継コネクタの構造を説明する要部縦断面図
【図３】（ａ）（ｂ）は中継ボックスの構造を説明するケース体の要部縦断面図
【図４】（ａ）（ｂ）は中継ボックスによるケーブルの接続状態を説明するケース体の要部縦断面図
【図５】ケース体に中継コネクタを取り付けた状態を説明する正面図
【図６】他の例の中継コネクタを使用した場合の中継ボックスの分解斜視図
【図７】上記他の例の中継コネクタをケース体に取り付けた状態を説明する正面図
【符号の説明】
【００３９】
１    オス型コネクタ
２    メス型コネクタ
２５    ケース体
２６    蓋部材
３０    ガイド溝
４０    フック部材
４２ａ    解除操作部
Ａ    中継コネクタ
Ｂ    中継ボックス
Ｃ    ケーブル
Ｄ    固定手段
【図１】
0003101315.tif 000003
【図２】
0003101315.tif 000004
【図３】
0003101315.tif 000005
【図４】
0003101315.tif 000006
【図５】
0003101315.tif 000007
【図６】
0003101315.tif 000008
【図７】
0003101315.tif 000009